(57)【要約】【課題】ダミー部材に接触している測定対象物の濡れを測定可能な濡れセンサ等を提供する。【解決手段】濡れセンサ１１０は、生物の少なくとも一部の形状を模し、測定対象物９９に接触し、接触した前記測定対象物９９に対して液体を吐出するダミー部材１１１と、前記ダミー部材１１１に形成され、前記測定対象物９９に接触し、前記ダミー部材１１１によって前記液体が吐出された前記測定対象物９９の濡れを測定するための一対の電極１１３と、を備える。【選択図】図４
2011106818.tif 000002
【特許請求の範囲】
【請求項１】
生物の少なくとも一部の形状を模し、測定対象物に接触し、接触した前記測定対象物に対して液体を吐出するダミー部材と、
前記ダミー部材に形成され、前記測定対象物に接触し、前記ダミー部材によって前記液体が吐出された前記測定対象物の濡れを測定するための一対の電極と、
を備えることを特徴とする濡れセンサ。
【請求項２】
前記生物の少なくとも一部は、人体の臀部である、
ことを特徴とする請求項１に記載の濡れセンサ。
【請求項３】
前記ダミー部材を加温する加温部をさらに備える、
ことを特徴とする請求項１又は２に記載の濡れセンサ。
【請求項４】
生物の少なくとも一部の形状を模し、測定対象物に接触し、接触した前記測定対象物に対して液体を吐出するダミー部材と、前記ダミー部材に形成され、前記測定対象物に接触し、前記ダミー部材によって前記液体が吐出された前記測定対象物の濡れを測定するための一対の電極と、を備える濡れセンサと、
前記濡れセンサを用いて前記測定対象物の濡れを測定する濡れ測定装置と、
を備えることを特徴とする濡れ測定システム。
【請求項５】
生物の少なくとも一部の形状を模したダミー部材に測定対象物を接触させる接触ステップと、
前記接触ステップで前記ダミー部材に接触させた前記測定対象物に対して前記ダミー部材から液体を吐出させる吐出ステップと、
前記ダミー部材に形成された一対の電極を用いて、前記吐出ステップで前記液体が吐出された前記測定対象物の濡れを測定する測定ステップと、
を備えることを特徴とする濡れ測定方法。
【請求項６】
コンピュータに、
生物の少なくとも一部の形状を模したダミー部材に接触した測定対象物に対して前記ダミー部材から液体を吐出させる吐出ステップと、
前記ダミー部材に形成された一対の電極を用いて、前記吐出ステップで前記液体が吐出された前記測定対象物の濡れを測定する測定ステップと、
を行わせることを特徴とする濡れ測定プログラム。
【発明の詳細な説明】
【技術分野】
【０００１】
本発明は、測定対象物の濡れを測定するための、濡れセンサ、濡れ測定システム、濡れ測定方法、及び、濡れ測定プログラムに関する。
【背景技術】
【０００２】
例えば非特許文献１には、ＩＳＯ１６８４０−７における、シートクッションの熱特性と水蒸気の発散特性とを特定する試験方法が開示されている。この試験方法は、臀部の形状を模したダミー部材と、ダミー部材に形成された、水蒸気を放出する複数の孔からなる水蒸気放出部と、ダミー部材における前記水蒸気放出部の近傍に形成された湿度センサと、を備える装置を使用して、ダミー部材に接触したシートクッションの湿度（シートクッションとダミー部材との間の湿度）を測定する方法である。
【先行技術文献】
【非特許文献】
【０００３】
【非特許文献１】「第３回日本シーティング・シンポジウム抄録集」、特定非営利活動法人  日本シーティング・コンサルタント協会、平成１９年１１月２３日、Ｐ７８からＰ７９
【発明の概要】
【発明が解決しようとする課題】
【０００４】
しかし、非特許文献１に記載された試験方法では、シートクッション（測定対象物）とダミー部材との間の湿度を測定できるが、湿度が１００パーセント以上の場合、つまり、ダミー部材に接触している測定対象物が濡れている場合における測定対象物の濡れを計測することができなかった。
【０００５】
本発明は、このような点に鑑みてなされたものであり、その目的とするところは、ダミー部材に接触している測定対象物の濡れを測定可能な、濡れセンサ、濡れ測定システム、濡れ測定方法、及び、濡れ測定プログラムを提供することにある。
【課題を解決するための手段】
【０００６】
上記課題を解決するために、本発明の第１の観点に係る濡れセンサは、
生物の少なくとも一部の形状を模し、測定対象物に接触し、接触した前記測定対象物に対して液体を吐出するダミー部材と、
前記ダミー部材に形成され、前記測定対象物に接触し、前記ダミー部材によって前記液体が吐出された前記測定対象物の濡れを測定するための一対の電極と、
を備える。
【０００７】
前記生物の少なくとも一部は、人体の臀部であってもよい。
【０００８】
前記濡れセンサは、前記ダミー部材を加温する加温部をさらに備えてもよい。
【０００９】
上記課題を解決するために、本発明の第２の観点に係る濡れ測定システムは、
生物の少なくとも一部の形状を模し、測定対象物に接触し、接触した前記測定対象物に対して液体を吐出するダミー部材と、前記ダミー部材に形成され、前記測定対象物に接触し、前記ダミー部材によって前記液体が吐出された前記測定対象物の濡れを測定するための一対の電極と、を備える濡れセンサと、
前記濡れセンサを用いて前記測定対象物の濡れを測定する濡れ測定装置と、
を備える。
【００１０】
上記課題を解決するために、本発明の第３の観点に係る濡れ測定方法は、
生物の少なくとも一部の形状を模したダミー部材に測定対象物を接触させる接触ステップと、
前記接触ステップで前記ダミー部材に接触させた前記測定対象物に対して前記ダミー部材から液体を吐出させる吐出ステップと、
前記ダミー部材に形成された一対の電極を用いて、前記吐出ステップで前記液体が吐出された前記測定対象物の濡れを測定する測定ステップと、
を備える。
【００１１】
上記課題を解決するために、本発明の第４の観点に係る濡れ測定プログラムは、
コンピュータに、
生物の少なくとも一部の形状を模したダミー部材に接触した測定対象物に対して前記ダミー部材から液体を吐出させる吐出ステップと、
前記ダミー部材に形成された一対の電極を用いて、前記吐出ステップで前記液体が吐出された前記測定対象物の濡れを測定する測定ステップと、
を行わせる。
【発明の効果】
【００１２】
本発明に係る濡れセンサ、濡れ測定システム、濡れ測定方法、及び、濡れ測定プログラムによれば、ダミー部材に接触している測定対象物の濡れを測定できる。
【図面の簡単な説明】
【００１３】
【図１】本発明の一実施形態に係る濡れ測定システムの構成を示したブロック図である。
【図２】本発明の一実施形態に係る濡れセンサの表面を示す図である。
【図３】本発明の一実施形態に係る濡れセンサの側面を示す図である。
【図４】本発明の一実施形態に係る濡れセンサの図２におけるＡ−Ａ断面を示す概略図である。
【図５】本発明の一実施形態に係る濡れ測定装置が行う濡れ測定処理のフローチャートである。
【図６】各測定対象物の濡れの測定結果の一例のグラフを示す図である。
【発明を実施するための形態】
【００１４】
本発明に係る実施形態について図面を参照して説明する。なお、本発明は下記の実施形態及び図面によって限定されるものではない。下記の実施形態及び図面に変更（構成要素の削除も含む）を加えることができるのはもちろんである。また、以下の説明では、本発明の理解を容易にするために、重要でない公知の技術的事項の説明を適宜省略する。
【００１５】
なお、本実施形態では、人が座る車椅子に使用されるシートクッションを測定対象物とする。
【００１６】
図１のように、濡れ測定システム１００は、濡れセンサ１１０と、加圧部１２０と、濡れ測定装置１３０と、液量調整部１５０と、タンク１６０と、を備える。
【００１７】
濡れセンサ１１０は、測定対象物９９の濡れを測定するために使用される装置である。濡れセンサ１１０は、液体吐出部１１２と、電極１１３と、検出回路１１４と、加温部１１５と、を備える。液体吐出部１１２は、測定対象物９９に対して液体を吐出する。電極１１３は、液体吐出部１１２が吐出した液体によって濡れた測定対象物９９の濡れを測定するのに使用される。検出回路１１４は、電極１１３を用いて測定対象物９９の濡れに応じた情報を生成して出力する。加温部１１５は、濡れセンサ１１０の表面を加温する。
【００１８】
濡れセンサ１１０の構成を図２乃至４も参照して詳しく説明する。なお、濡れセンサ１１０における、測定対象物９９が位置する方向を下方といい、その反対の方向を上方という（図４の矢印参照）。また、下方側に向いた面（測定対象物９９が接触する領域を備える面）を表面といい、上方側に向いた面を背面という。
【００１９】
濡れセンサ１１０は、ダミー部材１１１と、二つの液体供給路１１２ｂと、二組の一対の電極１１３と、四つの加温部１１５と、検出回路１１４と、を備える。
【００２０】
ダミー部材１１１は、臀部（ここでは、太ももの一部も含まれる。）の形状を模し、測定対象物９９に接触する（図４の点線の測定対象物９９を参照）。ダミー部材１１１は、上方の面が開口した箱体１１１ａと、この箱体１１１ａに蓋をする蓋体１１１ｂとを備える。蓋体１１１ｂは適宜省略できる。箱体１１１ａと蓋体１１１ｂとは、合成樹脂等、適宜の材料で形成できる。
【００２１】
箱体１１１ａの表面が測定対象物９９に接触する接触面になる。そして、この表面が臀部の形状を模した形状になっている。箱体１１１ａは、表面に、盛り上がった部分（以下では、盛り上がり部という。）を二つ備える。この二つの盛り上がり部（坐骨結節部）が、臀部の盛り上がった部分に相当する。
【００２２】
盛り上がり部それぞれの頂部（つまり、ダミー部材１１１の略最下部）には、それぞれ、箱体１１１ａに形成された貫通孔からなる吐出口１１２ａが形成される。この吐出口１１２ａにチューブ等から構成される液体供給路１１２ｂが接続されている。液体供給路１１２ｂには、タンク１６０から液量調整部１５０を介して供給される液体が流れる。液体供給路１１２ｂを流れる液体は、吐出口１１２ａから吐出する。液体供給路１１２ｂと吐出口１１２ａとによって、液体吐出部１１２が構成される。液体供給路１１２ｂは、その一部がダミー部材１１１に収容される。また、蓋体１１１ｂには貫通孔が設けられ、この貫通孔内を液体供給路１１２ｂが通る。
【００２３】
箱体１１１ａの表面の盛り上がり部の頂部それぞれの吐出口１１２ａの近傍には、それぞれ、一対の電極１１３が形成される。この一対の電極１１３は、吐出口１１２ａを挟んで形成される。各電極１１３は、各接続線１１６を介して検出回路１１４に電気的に接続される。なお、検出回路１１４及び各接続線１１６は、ダミー部材１１１の内部に収納される。
【００２４】
一対の電極１１３は、測定対象物９９に接触する。一対の電極１１３は、測定対象物９９の抵抗値の測定に使用されるものである。測定対象物９９の抵抗値は、測定対象物９９の濡れに応じて変化する。例えば、測定対象物９９が濡れれば濡れるほど、抵抗値は低くなる。これは、測定対象物９９が濡れている場合、測定対象物９９が液体によって電気を通しやすくなるからである。なお、測定対象物９９は、絶縁物であることはいうまでもない。以上のように、測定対象物９９の抵抗値を測定するということは、測定対象物９９の濡れを測定することと同等である。このように、一対の電極１１３は、抵抗値の測定に使用されることによって、測定対象物９９の濡れの測定に使用される。
【００２５】
検出回路１１４は、図示しない交流電源回路（ダミー部材１１１の内部にあってもよいし、外部にあってもよい。）と接続される。検出回路１１４は、交流電源回路から供給される交流信号を一対の電極１１３が接触する測定対象物９９の抵抗値に応じた信号（電圧）に変換する回路である。つまり、検出回路１１４は、測定対象物９９の抵抗値を測定するための抵抗−電圧変換器として機能するものである。検出回路１１４の構成は、公知のものを採用できる。検出回路１１４は、変換した信号を濡れ測定装置１３０に供給する。この信号は、抵抗値に応じた電圧なので、この電圧に基づいて測定対象物９９の抵抗値が算出できる。つまり、この信号は抵抗値に応じた信号（情報）であり、検出回路１１４は、電極１１３を用いて測定対象物９９の濡れ（抵抗値）に応じた情報を生成して出力する。なお、この情報は、アナログの情報である。
【００２６】
加温部１１５は、箱体１１１ａ内に収納される。加温部１１５は、所定のヒータ等によって構成される。加温部１１５は、箱体１１１ａ内の盛り上がり部に対応する位置に配置され、箱体１１１ａの表面内の盛り上がり部の温度を上げるために、ダミー部材１１１を加温する。加温部１１５の数は、適宜決定できる。また、加温部１１５は、例えば、濡れ測定装置１３０によって制御される。また、濡れ測定装置１３０は、箱体１１１ａの表面の盛り上がり部の温度を盛り上がり部に配置した温度計を用いて測定し、盛り上がり部の温度が所定の温度になるように、加温部１１５の加温の度合いを調整してもよい。この調整方法は、適宜の方法で行われる。
【００２７】
加圧部１２０は、濡れ測定装置１３０によって制御され、ダミー部材１１１を測定対象物９９に所定の荷重で押しつける。加圧部１２０は、適宜の装置によって構成される。
【００２８】
タンク１６０は、液体を貯蔵する。タンク１６０は、図示しないチューブ等によって液量調整部１５０に接続される。
【００２９】
液量調整部１５０は、濡れ測定装置１３０によって制御され、タンク１６０から液体供給路１１２ｂに流す液体の液量を調整する。液量調整部１５０は、ポンプ、弁等の適宜の装置によって構成される。
【００３０】
濡れ測定装置１３０は、濡れ測定処理を行う。この濡れ測定処理は、濡れセンサ１１０から所定の情報を受け取って、受け取った所定の情報をもとにして濡れを算出する処理である。この処理を行うことによって、濡れ測定装置１３０は、濡れセンサ１１０を用いて測定対象物９９の濡れ（ここでは、抵抗値）を測定する。
【００３１】
濡れ測定装置１３０は、制御部１３１と、記憶部１３２と、表示部１３３と、Ａ／Ｄコンバータ１３４と、タイマ１３６と、入力部１３７と、を備える。
【００３２】
制御部１３１は、例えば、ＣＰＵ（Central Processing Unit）１３１ａとＲＯＭ（Read Only Memory）１３１ｂとＲＡＭ（Random Access Memory）１３１ｃとによって構成され、濡れ測定装置１３０全体の制御を行うとともに、濡れ測定処理を行う。具体的には、ＣＰＵ１３１ａがＲＯＭ１３１ｂに記録された濡れ測定プログラム１３１ｄに従って濡れ測定処理を行う。濡れ測定プログラム１３１ｄは、必要に応じてＲＡＭ１３１ｃに読み出される。ＲＡＭ１３１ｃは、例えば、ＣＰＵ１３１ａのワーキングメモリとして機能する。
【００３３】
なお、濡れ測定プログラム１３１ｄは、ＯＳ（Operation System）と協働してＣＰＵ１３１ａに濡れ測定処理を行わせるものであってもよい。この場合、ＲＯＭ１３１ｂには、ＯＳも記録される。また、必要に応じてＯＳもＲＡＭ１３１ｃに読み出される。また、濡れ測定プログラム１３１ｄは、持ち運び可能な記憶媒体（例えば、ＣＤ−ＲＯＭ（Compact Disk Read Only Memory）１３１ｂ、ＤＶＤ−ＲＯＭ（Digital Versatile Disk Read Only Memory）１３１ｂ）に記録され、濡れ測定装置１３０に供給されてもよい。また、濡れ測定プログラム１３１ｄは、ネットワークを介して濡れ測定プログラム１３１ｄに供給されてもよい。濡れ測定プログラム１３１ｄが記録されたＲＯＭ１３１ｂ、ＲＡＭ１３１ｃ、持ち運び可能な記録媒体等は、コンピュータが読み取り可能なプログラム製品になる。
【００３４】
記憶部１３２は、制御部１３１の制御のもと、制御部１３１が生成したデータ（例えば、濡れを示すデータ）等を記憶する。記憶部１３２は、ハードディスク、フラッシュメモリ等の適宜の記憶装置によって構成される。
【００３５】
表示部１３３は、制御部１３１の制御のもと、所定の画面を表示する（例えば、濡れについての画面）。表示部１３３は、例えば、ＬＣＤ（Liquid Crystal Display）等のディスプレイによって構成される。
【００３６】
Ａ／Ｄコンバータ１３４は、濡れセンサ１１０から供給される情報（アナログ情報）をデジタル情報に変換し、制御部１３１に出力する装置である。制御部１３１は、このデジタル情報に基づいて、濡れ測定処理を行い、測定対象物９９の濡れ（抵抗値）を算出する。
【００３７】
タイマ１３６は、制御部１３１の制御のもと、時間を測定する。
【００３８】
入力部１３７は、ユーザからの操作を受け付け、受け付けた操作に応じた入力情報を制御部１３１に供給する。入力部１３７は、キーボード、マウス等によって構成される。
【００３９】
次に、濡れ測定処理について説明する。本実施形態では、濡れの測定を濡れ測定処理によって行っているが、この処理は以下に説明する方法に限られない。例えば、本実施形態では、液量調整部１５０がタンク１６０の液体の液体供給路１１２ｂへの供給量（つまり、吐出口１１２ａからの液体の吐出量）を調整するが、液体供給路１１２ｂへの液体の供給は、手動等によって行っても良い。また、液量調整部１５０、加温部１１５、加圧部１２０等の制御は、手動等によって行われても良い。
【００４０】
所定量の液体は、液体供給路１１２ｂを介して吐出口１１２ａから吐出される。このとき、測定対象物９９は、ダミー部材１１１の表面に接触しているものとする。また、ダミー部材１１１には荷重がかけられ、図４の点線で示すように、測定対象物９９はダミー部材１１１によって変形するものとする。また、加温部１１５によって、ダミー部材１１１の表面は加温され、人の体温が再現されているものとする。このように、測定対象物９９は、人がこの測定対象物９９に腰掛けた状態と略同様になっているものとする。以上のような測定対象物９９の状態を以下では、再現状態という。
【００４１】
吐出口１１２ａから吐出された液体、つまり、ダミー部材１１１から吐出された液体は、測定対象物９９に吸収され、測定対象物９９を濡らす。吐出口１１２ａ近傍に一対の電極１１３によって、この濡れた測定対象物９９の所定領域（一対の電極１１３の間の領域等）の抵抗値を測定することによって、測定対象物９９の濡れを測定できる。
【００４２】
なお、液体は、測定対象物９９の抵抗値を測定するために好適なものが採用される。液体の例としては、水道水、純水（バッテリー溶液（高純度精製水）等であってもよい。）、生理食塩水、各種無機あるいは有機塩類を含む電解質溶液（例えば重量比で０．０１％程度のＮａＣｌ溶液）等がある。このような液体によって測定対象物９９の抵抗値の測定が精度良く行える。また、このような液体（水道水以外の液体）によって、液体の性質の共通化が図れ、場所によって、測定の結果が変わるということが無くなる又は軽減される。なお、純水には電流が流れにくいが、全く流れないわけではない（少なくとも５．５ｘ１０−８Ｓ／ｃｍの導電率がある）。また、実際には空気中の二酸化炭素の吸収による炭酸イオンにより純水の導電率が上がる他、測定対象物９９や濡れ測定システム１００に残存するイオンが純水に溶解するため、実際には測定可能な程度に純水に電流が流れるものとなるので、液体は純水であってもよい。なお、重量比で０．０１％程度のＮａＣｌ溶液である電解質溶液（溶媒は高純度精製水）が液体として望ましい場合がある。液体の性質の共通化が図れ、場所によって、測定の結果が変わるということが無くなる又は軽減される。
【００４３】
また、液体の吐出後、測定対象物９９をダミー部材１１１に接触させたまま、一定時間毎に、前記の抵抗値を測定すれば、測定対象物９９の濡れの経時的変化を測定できる。これによって、測定対象物９９が濡れた場合の、測定対象物９９の液体（人の汗と想定することができる。）の蒸散性を測定する事ができる。このような測定によって、人がこの測定対象部に腰掛けた場合に、この人が汗をかいた場合における測定対象物９９の汗の蒸散性等を予測することができる。これによって、測定対象物９９の使い心地等を評価できる。
【００４４】
濡れ測定処理の詳細を図５を参照して説明する。この処理は、ダミー部材１１１が３７℃に加温（この温度は、濡れ測定処理が終了するまで保たれるものとする。また、この処理での室温は２３℃であるとする。）されるとともに、入力部１３７が操作されて入力部１３７が入力情報を制御部１３１に供給することを契機として始まる。また、ここでの説明では、二つの吐出口１１２ａ及び二組の電極１１３のうちのいずれか一方を用いて濡れ測定処理を行うものとする。また、再現状態は、処理終了まで保たれるものとする。
【００４５】
また、電極１１３は、導電性の材料であればあらゆるものが使用可能である。この様な導電性の材料としては、例えば、ステンレスや白金などの金属材料、カーボン、有機導電性ポリマー等が挙げられる。電極１１３は、好適には、加工が容易で錆びにくく、測定電圧程度の電圧を印加しても電気分解を生じにくく、かつ入手が容易なステンレス（ＳＵＳ４３０）製のものが良い（ここでは、これによって電極１１３が形成されている。）。また、検出回路１１４が一対の電極１１３の間に印加する交流電圧は、０±５０ｍＶ程度で、周波数が５ＫＨｚ程度のものである。接続線１１６は、外部からの外乱を最小にするように、シールド線とする。また、液体は蒸留水（純水）とした。一対の電極１１３の間は５ｍｍとした。また、この処理の前のダミー部材１１１と測定対象物９９との間の相対湿度を５０％とする。この湿度の制御については、公知のものを適宜使用するものとする。ダミー部材１１１は、その外形がＩＳＯ１６８４０−２で規定されたものである。
【００４６】
また、測定対象物９９は、代表的車いすクッション（シートクッション）とする。ここでは、ＣＬＯＵＤ（厚さ：１０ｃｍ、形状：ブロック、主材質：ゲル）、ニコニコクッション（厚さ：１０ｃｍ、形状：ブロック、主材質：フォーム）、ＰＲＯＦＯＲＭ（厚さ：１０ｃｍ、形状：カンツア、主材質：空気）、ＲＩＤＥ（厚さ：１０ｃｍ、形状：カンツア、主材質：フォーム）、ＲＯＨＯ（厚さ：１０ｃｍ、形状：ブロック、主材質：空気）の５種類のクッションそれぞれを測定対象物９９として、５種類のクッションそれぞれについて濡れ測定処理を行って、５種類のクッションそれぞれについての濡れの経時変化を測定するものとする。
【００４７】
濡れ測定処理の開始後、制御部１３１は、タイマ１３６をスタートする（ステップＳ１０１）。これにより、制御部１３１は、濡れ測定処理の開始時からの時間を測定する。
【００４８】
次に、制御部１３１は、タイマ１３６を用いて測定する時間に基づいて、第１所定時間毎（ここでは１分間毎）に濡れセンサ１１０を用いて濡れの測定を行う（ステップＳ１０２）。濡れの測定は、検出回路１１４から供給される情報をＡ／Ｄコンバータ１３４によって、デジタル情報に変換し、変換したデジタル情報（電圧を示す情報）に基づいて一対の電極１１３間の抵抗値（測定対象物９９の抵抗値）を算出することによって行う。デジタル情報は、抵抗値に応じた電圧の情報であり、電圧信号に変換された抵抗値を示す情報なので、この情報から抵抗値は算出できる。算出方法は、予め設定されているものとする。抵抗値の算出方法は、例えば、抵抗値と電圧とを互いに対応付けたデータテーブルを参照して抵抗値を導出する方法も含む。制御部１３１は、算出した抵抗値を示す情報を記憶部１３２に記録する。制御部１３１は、この濡れ測定処理を終了するまで、この濡れの測定を下記の処理と並行して行う。
【００４９】
次に、制御部１３１は、タイマ１３６による時間の測定を開始した時から第２所定時間（ここでは、１分間）が経過したかを判別し（ステップＳ１０３）、第２所定時間になっていないと判別すれば（ステップＳ１０３；ＮＯ）、再び、ステップＳ１０３の処理を行う。このように制御部１３１は、濡れ測定処理の開始時から第２所定時間経過するまで待機する。
【００５０】
測定している時間が第２所定時間を経過したと判別すると（ステップＳ１０３；ＹＥＳ）、制御部１３１は、加圧部１２０を制御し、ダミー部材１１１に荷重（ここでは、５００Ｎ（ニュートン））を負荷する（ステップＳ１０４）。この処理によって、測定対象物９９には、荷重及び加温がなされ、測定対象物９９の状態は、再現状態になる。
【００５１】
次に、制御部１３１は、タイマ１３６による時間の測定を開始した時から第３所定時間（ここでは、２分間）が経過したかを判別し（ステップＳ１０５）、第３所定時間になっていないと判別すれば（ステップＳ１０５；ＮＯ）、再び、ステップＳ１０５の処理を行う。このように制御部１３１は、濡れ測定処理の開始時から第３所定時間経過するまで待機する。
【００５２】
測定している時間が第３所定時間を経過したと判別すると（ステップＳ１０５；ＹＥＳ）、制御部１３１は液量調整部１５０を制御し、タンク１６０の液体（ここでは水道水）を、液体供給路１１２ｂを介して吐出口１１２ａから所定量（ここでは、１０ｃｃ）吐出させる（ステップＳ１０６）。これにより、測定対象物９９における吐出口１１２ａ近傍の部分が液体を吸収し、この部分が濡れた状態になる。これ以降、濡れた測定対象物９９の濡れの測定が行われることになる。
【００５３】
次に、制御部１３１は、タイマ１３６による時間の測定を開始した時から第４所定時間（ここでは、１時間）が経過したかを判別し（ステップＳ１０７）、第４所定時間になっていないと判別すれば（ステップＳ１０７；ＮＯ）、再び、ステップＳ１０７の処理を行う。このように制御部１３１は、濡れ測定処理の開始時から第４所定時間経過するまで待機する。測定している時間が第４所定時間を経過したと判別すると（ステップＳ１０７；ＹＥＳ）、制御部１３１は濡れ測定処理を終了する。このようにして、制御部１３１は、濡れ測定をタイマ１３６による時間の測定を開始した時から第４所定時間の間中行う。
【００５４】
濡れ測定装置１３０の入力部１３７が操作されると制御部１３１は、記憶部１３２に記録した抵抗値を示す複数の情報を用いて、抵抗値を表示部１３３に表示する。制御部１３１が表示部１３３に表示するグラフ（ここでの処理による測定結果のグラフである。）を図６に示す。図６に示すように、制御部１３１は、抵抗値を示す複数の情報を用いて、縦軸を抵抗値、横軸を経過時間としたグラフを生成し、表示部１３３に表示する。抵抗値の小さいものほど（グラフにおいて、下にあるほど）、測定対象物９９は濡れていることになる。図６のグラフを参照すると、ＲＩＤＥが最も濡れていないことになる。また、このグラフを参照すると、経過時間が過ぎるとともに抵抗値が上がれば上がるほど、濡れた測定対象物９９は乾きやすい（液体が蒸散し易い）ものであると判断できる。乾きやすい濡れた測定対象物９９は、液体（汗）の蒸散が優れているものと判断できる。
【００５５】
なお、本願発明者は、上記の濡れ測定処理を１週間後に再度行い、処理結果を比較して、濡れ測定処理の信頼性を確かめた。なお、１週間後の濡れ測定処理では１２分おきの濡れの測定を行った。２回の濡れ測定処理の信頼性ではＣｒｏｎｂａｃｈのアルファ係数が０．９以上を示し、この処理は信頼性があることが分かった。
【００５６】
上記のように、濡れセンサ１１０は、臀部の形状を模し、測定対象物９９に接触し、接触した測定対象物９９に対して液体を吐出するダミー部材１１１と、ダミー部材１１１に形成され、測定対象物９９に接触し、ダミー部材１１１によって液体が吐出された測定対象物９９の濡れを測定するための一対の電極１１３と、を備えるので、この濡れセンサ１１０を用いれば、電極１１３によって抵抗値等を測定でき、ダミー部材１１１に接触する測定対象物９９の濡れを測定できる。
【００５７】
また、上記の、電極１１３の位置と吐出口１１２ａの位置とは、適宜変更できるが、ここでは、電極１１３と吐出口１１２ａとの位置が、箱体１１１ａの表面の盛り上がり部の頂部にあることによって、測定対象物９９に最も負荷がかかる部分についての濡れの測定が可能である。吐出口１１２ａと電極１１３とは、測定対象物９９の接触面の面内に形成されることが望ましい。また、一対の電極１１３は、吐出口１１２ａを挟んで配置されることによって、吐出口１１２ａから吐出された液体によって濡れた領域（測定対象物９９の一部の領域）の濡れの測定が効果的に出来る。
【００５８】
なお、ダミー部材１１１は、生物の少なくとも一部の形状を模したものであればよい。生物は、例えば、ほ乳動物であり、例えば、ここでは人である。生物の一部は、人の背中、臀部等である。また、測定対象物９９は、ダミー部材１１１が模す生物の少なくとも一部に接触等するものであればよく、測定対象物９９は、例えば、人の着衣（下着、おむつ、生理用品等を含む）、椅子の一部（背もたれ、座部等）、クッション等であってもよい。このような濡れセンサでも上記と同様の効果が得られる。
【００５９】
電極１１３の位置（及び数）と吐出口１１２ａの位置（及び数）とは、測定対象物９９の種類、及び、ダミー部材１１１がどのような部分を模した形状であるか等によって決定される。例えば、測定対象物９９がおむつ等である場合、電極１１３の位置と吐出口１１２ａの位置とは、例えば、ダミー部材１１１における殿裂部（又は殿裂部の前方（脚側））であることが望ましい。また、液体の吐出量も、測定対象物９９の種類、及び、ダミー部材１１１がどのような部分を模した形状であるか等によって決定される。例えば、測定対象物９９がおむつ等である場合、液体は尿に相当するものになるので、吐出量は１０ｃｃ以上であることが望ましい。液体が電解質溶液の場合、この電解質溶液の濃度も、測定対象物９９の種類、及び、ダミー部材１１１がどのような部分を模した形状であるか等によって決定される。例えば、測定対象物９９がおむつ等である場合、電解質溶液は、例えば、純水（バッテリー溶液（高純度精製水）等であってもよい。）に重量比で０．９％程度のＮａｃｌが溶解した液体にするとよい。
【符号の説明】
【００６０】
９９          測定対象物
１００        濡れ測定システム
１１０        濡れセンサ
１１１        ダミー部材
１１１ａ      箱体
１１１ｂ      蓋体
１１２        液体吐出部
１１２ａ      吐出口
１１２ｂ      液体供給路
１１３        電極
１１４        検出回路
１１５        加温部
１１６        接続線
１２０        加圧部
１３０        濡れ測定装置
１３１        制御部
１３１ａ      ＣＰＵ
１３１ｂ      ＲＯＭ
１３１ｃ      ＲＡＭ
１３１ｄ      濡れ測定プログラム
１３２        記憶部
１３３        表示部
１３４        Ａ／Ｄコンバータ
１３５        バス
１３６        タイマ
１３７        入力部
１５０        液量調整部
１６０        タンク
【図１】
2011106818.tif 000003
【図２】
2011106818.tif 000004
【図３】
2011106818.tif 000005
【図４】
2011106818.tif 000006
【図５】
2011106818.tif 000007
【図６】
2011106818.tif 000008